(57)【要約】【課題】他の機器を用いることなく通信端末のみによりＩＰ電話で通話中の相手とインターネットリソースを簡単安価に、また面倒な操作を必要とせず確実に共有できるようにする。【解決手段】通話中の相手通信端末（２００、２２０）と、同一のインターネットリソース（ＷＥＢデータ、ＦＴＰファイルなど）を共有利用するインターネットリソース共有手段を設ける。インターネットリソースの共有は、目的のインターネットリソースを提供するサーバにアクセスし、その際送信するパケットの送信元アドレスを通話相手のＩＰアドレスに変更することにより当該サーバの応答パケットが通話相手に送信されるように制御することにより行なう。【選択図】        図２
2004266326.tif 000002
【特許請求の範囲】
【請求項１】
ＩＰ網に接続し、所定のＩＰ電話方式により通話を行なう通信端末において、
目的のインターネットリソースを提供するサーバにアクセスし、その際送信するパケットの送信元アドレスを通話相手の通信端末のＩＰアドレスに変更することにより当該サーバの応答パケットが通話相手の通信端末に送信されるように制御することにより、通話相手の通信端末と同一のインターネットリソースを共有利用するインターネットリソース共有手段を有することを特徴とする通信端末。
【発明の詳細な説明】
【０００１】
【発明の属する技術分野】
本発明は、ＩＰ網に接続し、所定のＩＰ電話方式により通話を行なう通信端末、その制御方法、その制御プログラムに関するものである。
【０００２】
【従来の技術】
近年、インターネットの普及が世界的に急速に拡大しており、通信料金の著しい低減を図ることができる利点から、インターネット電話（以下ＩＰ電話）が注目を浴びている。インターネット電話で特に現在有力な規格はＶｏＩＰ（下記の非特許文献１：ＩＴＵ−Ｔ勧告Ｈ．３２３など）であり、このような規格によるインターネット電話対応の機器が様々な形で提案されている。
【０００３】
ＩＰ電話の１つの利用形態として、インターネットサービスプロバイダを経由して、常時接続する状態でＬＡＮを経由して相互に直接接続する形態が考えられる。ＩＰ電話では、通信しようとするユーザが相互にＩＰ接続する必要があるため、インターネット上にランデブーサーバが用意される。ランデブーサーバに電話番号と最寄のインターネットサービスプロバイダとの対応テーブルを設け、着呼側ユーザに公衆回線経由で通話要求と発呼側ユーザのＩＰアドレスとを通知し、双方のユーザがランデブーサーバを介して同時接続することにより、通話を実現する。このランデブーサーバを用いる規格の１つとして、ＳＩＰ（Ｓｅｓｓｉｏｎ  Ｉｎｉｔｉａｔｅ  Ｐｒｏｔｏｃｏｌ：下記の非特許文献２：ＲＦＣ２５４３）が知られている。
【０００４】
【非特許文献１】
ＩＴＵ−Ｔ勧告  Ｈ．３２３
【非特許文献２】
ＲＦＣ２５４３（ｈｔｔｐ：／／ｗｗｗ．ｆａｑｓ．ｏｒｇ／ｒｆｃｓ／ｒｆｃ２５４３．ｈｔｍｌ）
【０００５】
【発明が解決しようとする課題】
ところが、従来のＩＰ電話の技術は、ＩＰコネクションの上で音声通信を行なうだけのものが多い。
【０００６】
たとえば、ＩＰ電話で通話中の場合、相互のＩＰアドレスが判明しているにもかかわらず、ユーザはこのＩＰアドレスを用いて利用できるインターネットリソースに全くアクセスすることができず、ユーザに充分なサービスを提供しているとはいえない。
【０００７】
たとえば、従来では、あるＷＥＢページやＦＴＰサーバ、その他のインターネットリソースの所在を通話相手に伝えたくても、ＩＰ電話の通話上の音声で伝え合うしか方法がない。インターネットリソースのアドレスは通常ＵＲＬ、ＵＲＩのような形式で表現されるが、多くの場合これらの文字数は電話番号ほどには短かくなく、誤りなくこのような形式のデータを音声で伝達するのは困難であり、また非常にわずらわしい。
【０００８】
さらに、現在では、ＷＥＢブラウザなどインターネットリソースを利用する機構を有する電話機が存在しているが、ユーザはこのような端末を用いていたとしても、一旦上記のようにして音声で伝達したインターネットリソースのアドレスをＷＥＢブラウザなどに再度入力しなければならない。
【０００９】
また、ユーザの端末がＩＰ電話と、ＷＥＢページ閲覧のようなインターネットリソースの利用を異なる接続方式でしかサポートしていない場合もあり、そのような場合はユーザはＩＰ電話を切断してから再度ＩＰ接続を行なわなければならない。どうしても通話とインターネットリソースの利用を両立させたければ、ＩＰ電話用の端末の他にさらにＰＣなどの別の機器を用い、別の呼接続の上でインターネットリソースを利用しなければならない。
【００１０】
本発明の課題は、上記の問題を解決し、他の機器を用いることなく通話端末のみによりＩＰ電話で通話中の相手とインターネットリソースを簡単安価に、また面倒な操作を必要とせず確実に共有できるようにすることにある。
【００１１】
【課題を解決するための手段】
上記の課題を解決するため、本発明によれば、ＩＰ網に接続し、所定のＩＰ電話方式により通話を行なう通信端末において、目的のインターネットリソースを提供するサーバにアクセスし、その際送信するパケットの送信元アドレスを通話相手の通信端末のＩＰアドレスに変更することにより当該サーバの応答パケットが通話相手の通信端末に送信されるように制御することにより、通話相手の通信端末と同一のインターネットリソースを共有利用するインターネットリソース共有手段を有する構成を採用した。
【００１２】
【発明の実施の形態】
以下、図面を参照して本発明の実施の形態を詳細に説明する。
【００１３】
なお、本明細書（特許請求の範囲も含む）では、用語として「インターネット」および「インターネットリソース」を用いるが、前者はＩＰ網を、後者はＩＰ網上でＩＰを介してアクセス可能なデータ（ファイルやディレクトリリストなどを含む）その他の資源を指す。すなわち、本明細書において用語「インターネット」は、単にＩＰ網と同義であり、広域的かつ公共的に利用されるいわゆる”Ｉｎｔｅｒｎｅｔ”の他、企業その他の組織内で閉じたいわゆるイントラネットのようなＩＰ網も含み、用語「インターネットリソース」はこれらのネットワーク上でＩＰを介してアクセス可能なデータを指すものとする。これは「ＩＰ網リソース」のような適当な上位概念の用語が現在のところ一般的ではないための止むを得ない措置である。
【００１４】
図１は本発明を採用したＩＰ電話機能およびＷＥＢブラウザ機能を有する通信端末の構成を示している。図１において、符号１００は、通信端末２００が接続されるＩＰ網（いわゆるインターネットの他に、イントラネットのように閉じた網も考えられるが、以下では特に区別する必要がある場合を除きインターネット網という）で、有線回線１０１を介して接続される。本実施形態では、有線回線１０１としてはＡＤＳＬであるものとし、図１の通信端末の回線はスプリッタ１０２によりＰＳＴＮ網用の帯域１０４と、ＡＤＳＬ網用の帯域１０３が分割され、通信端末２００は、ＰＳＴＮ接続による音声通信（たとえば通話およびファクシミリ）が可能であるとともに、インターネット接続（ＰＰＰｏＥなどのＡＤＳＬ接続方式が用いられる）、およびインターネット上の資源の利用（本実施形態の場合、少なくともＩＰ電話の他にＷＥＢページ閲覧、Ｅメール送受信など）が可能である。
【００１５】
なお、ＩＰ網１００への接続は、ＡＤＳＬである必要はなく光ファイバー回線や、ＣＡＴＶ回線、無線回線など任意の回線メディアを用いることができる。
【００１６】
図１の通信端末２００は液晶表示器などを用いた表示部２１４およびテンキーや各種ファンクションキーを含む操作部２１５、および音声通話用入出力のためのハンドセット２０８を有する。表示部２１４および操作部２１５は通話制御のために用いられる他、ＷＥＢブラウザ機能を実現するためにも用いられる。
【００１７】
操作部２１５には、リソース転送ボタン２１５ａおよびリロードボタン２１５ｂが設けられている。リソース転送ボタン２１５ａは、本端末どうしでＩＰ電話中にインターネットリソースを共有利用することを指定するためユーザが押下する。リロードボタン２１５ｂは、メールの強制受信操作（あるいはＷＥＢページのリロード操作など）に用いられる。
【００１８】
図２に図１の通信端末２００の制御系の構成を示す。図示の制御系は、通信端末２００でＩＰ電話機能および、ＷＥＢブラウザ機能の他、ファクシミリ機能（図１では不図示）も実現するものである。
【００１９】
図２においてＣＰＵ２０１は、データバス２１９を介して各部との信号の入力を行い、この入力した信号に応じてデータバス２１９に接続された各構成要素を制御する。すなわち、ＣＰＵ２０１はＲＯＭ２０２に格納されたプログラムにしたがって全体を制御し、網への接続や、各種プロトコルを制御し処理を実行する。もちろん操作、表示、読み取り、記録に使用する制御も含まれる。
【００２０】
さらに、ブロードバンド接続をつかさどる制御や、ＩＰ電話を実現するための制御、ＷＥＢアクセスを行なうための制御、ＷＥＢページを表示するためのブラウザ制御、また、ＩＰアドレスの検知、抽出制御、そして、ＵＲＬ等のデータを送信するためのファイル作成や、送受信制御を実行する。
【００２１】
また、ＲＯＭ２０２は、プログラムを格納したメモリであり、マスクＲＯＭやフラッシュＲＯＭなどで構成される。また、データの書込み、消去が必要なデータ用にフラッシュＲＯＭや、ＥＥＰＲＯＭでも構成されることも考えられる。ＲＯＭ２０２には、ＣＰＵ２０１で行なう制御全般のプログラムが格納されている。
【００２２】
ＲＡＭ２０３はＣＰＵ２０１が処理を行なう場合のワークエリアとして、呼処理を含むＷＥＢ閲覧やＥメール送受信の各処理を実行するにあたって使用したり、読取、記録時、または音声ＣＯＤＥＣデータを処理するエリアでもある。ここは、ＲＯＭ２０２と異なり、一時的なデータが記憶される。
【００２３】
さらに、ＲＡＭ２０３は電池等でバックアップされる部分もあり、時間データ等、各種サービス機能の設定内容やアドレス帳（あるいは電話帳）に登録した内容を記憶する。図１ではこのような領域のうち、特にアドレス帳２０３ａの領域を図示してある。
【００２４】
このアドレス帳２０３ａには、通常回線の通話の際の番号通知などで得た電話番号、ＩＰ電話通信の際に得たＩＰアドレス、さらに、これらの選択情報に対応するユーザ名やメールアドレスの他、自機のユーザのユーザ名およびメールアドレスなどを所定の設定操作に基づき記憶させておく。
【００２５】
また、このアドレス帳に類した管理情報の記憶領域は、不揮発性のメモリとしてのＥＥＰＲＯＭ等で構成することもできる。
【００２６】
また、ＲＡＭ２０３は、ＩＰ電話接続手順にて検出したＩＰアドレスの一時保管や、ファイル送受信を行なうためのバッファや、ＷＥＢページ表示のための受信バッファとしても利用する。
【００２７】
通信制御部２０４は、アナログ（ＰＳＴＮ）公衆回線１０４を収容するためのインタフェイスであり、アナログ回線の場合、局交換機の電話回線（以後、加入者線と称す）に接続され、ダイオードによる全波整流回路により構成され、回線電圧の極性を一致させるための極性一致回路、回路局交換機の加入者線に接続され、局交換機からの呼出信号を検出するリンガー検出回路、オフフック操作が行われると回線ループを形成するとともに、局に対してダイヤルパルスを送出するパルス送出回路、２線−４線変換を行なうためのトランス回路で構成されている。また、外部に接続されるアナログ端末用のインターフェイス２５０も設け通常のアナログ端末も接続できるように構成されている。
【００２８】
２０５はＭＯＤＥＭ部であり、ＤＳＰとＡＦＥ（アナログフロントエンド）で構成され、機能的には、Ｇ３ＦＡＸによるファクシミリの送受信を行なうファクシミリモデムの機能を、ＣＰＵ２０１の制御により実現する。さらにモデムデータ（ナンバーディスプレイデータ）の解析を行なうナンバディスプレイ機能と、エコーキャンセラ機能を有し、スピーカフォン機能をも実現することができる。
【００２９】
音源部２０６は、保留音や着信メロディーの音源であり内部に音源データ生成機能をもち、ＲＯＭ２０２や、ＲＡＭ２０３に記憶してあるデータに基づきＣＰＵ２０１の制御により音源部２０６でアナログ信号として再生することができる。また擬似ＤＴ、ＢＴ、ＲＢＴ等のコールプログレストーンを出力するための音源も兼ねる。
【００３０】
符号２０７は音声処理部で、ＣＰＵ２０１の制御によりＭＯＤＥＭ部２０５からの信号や音源部２０６、後述するハンドセット２０８、スピーカ２０９、本体マイク２１０、通信制御部２０４等の入出力信号をこの音声処理部２０７の音声パス制御により処理する。
【００３１】
ハンドセット２０８（図１）は通常回線上の通話およびＩＰ電話における音声の入出力に用いられる。ハンドセット２０８のフックのＯＮ／ＯＦＦはフック検出部２１６により検出され、このフックの状態に応じて回線のＯＮ／ＯＦＦが制御される。
【００３２】
スピーカ２０９は着信音や記憶した音声データの出力およびスピーカフォン通話時のモニタに用いられる。本体マイク２１０はスピーカホン機能を実現する際の音声入力に使用する。
【００３３】
記録部２１１は、感熱型、熱転写型プリンタ、あるいはレーザービームプリンタ、インクジェットプリンタ等の周知の記録手段から構成される記録部であり、ファクシミリ記録の場合、ＭＨ、ＭＲ、ＭＭＲ符号化されたデジタルデータを復号化し、この復号化したデータを記録する。また、ＷＥＢブラウザからデータをプリントする場合は、ＲＡＭ２０３を受信バッファとして使用し、そこに格納されているマークアップ言語（通常ＨＴＭＬ）で記述されたウェブ１ページ分のデータを表示用データに変換し、表示部２１４の一画面に表示可能な量のデータをＲＡＭ２０３内の表示バッファに格納する。ＷＥＢブラウザは表示バッファへの格納を終了すると記録部２１１へ記録開始通知を行なう。
【００３４】
記録部２１１は格納終了通知を受け取ると表示バッファからデータを読み出し、１ラインごとにプリント用データに変換して記録部２１１へ転送する。転送が終わると転送終了通知をブラウザに通知する。転送終了通知を受けたブラウザは次の表示用データがあれば表示バッファに格納して記録部２１１に通知し、ウェブページ分のデータが終わり、次の表示用データがない時にはページ終了を通知する。以上の処理を繰り返して１ページ分のデータを記録部２１１に転送し、ウェブプリントを行なう。
【００３５】
読取部２１２はＣＣＤあるいは密着型センサアレイ等の周知の原稿読取手段を備えており、読取手段で読み取ったアナログデータをデジタルデータに変換するとともに、この変換されたデジタルデータをファクシミリ通信においては、ＭＨ、ＭＲ、ＭＭＲ符号化等の周知の符号化方法により符号化し出力する。
【００３６】
符号２１３はセンサ部であり、読取部２１２上の送信原稿の有無やサイズを検出しその結果をＣＰＵ２０１に通知する。また、記録部２１１上の記録紙の有無やサイズを検出しその結果をＣＰＵ２０１に通知する。
【００３７】
表示部２１４（図１）は、カラーＬＣＤや、モノクロＬＣＤ等の液晶部品などにより構成され、種々の情報表示を行なうために用いられる。表示部２１４の表示処理にはインターネット上のサーバより受信したＨＴＭＬの情報の表示、時刻の表示や通信中の回線状態およびエラー等の状態の表示、その他動作状態のモニタ表示、操作部２１５でキー入力された文字メッセージや受信した文字メッセージの表示、電話機の各種サービス機能の設定内容などの表示などが含まれる。
【００３８】
操作部２１５（図１）はテンキー、ファンクションキーなどを含むキーボード（あるいはさらにマウスなどのポインティングデバイス）などから成り、表示器２１４とともにユーザーインターフェースを構成する。ＷＥＢブラウズ操作、プリント、発呼／着呼／登録などに関するあらゆるユーザ操作を受け付け、その内容を制御部２０１に通知する。
【００３９】
操作部２１５のキーには、前述のリソース転送ボタン２１５ａの他、公知のキーとして次のようなものが含まれる。すなわち、ダイヤル番号やＵＲＬ等を０−９および＊、＃および前記キーを利用しアルファベットや記号等を入力するためのダイヤルキー、ファクシミリの送受信を制御する送信、受信キー、回線のＯＮ／ＯＦＦを制御するオフフックキー、その他には保留キー、機能設定を行なうためのセレクトキー等のキーなどである。
【００４０】
ネットワーク制御部２４０は、インターネット通信にかかわる各種プロトコルを制御する。ネットワーク制御部２４０は便宜上回路ブロックとして示してあるが、実際にはその基本制御はＣＰＵ２０１のソフトウェアにより行なわれる。
【００４１】
ネットワーク制御部２４０は、ＭＩＩインタフェイスを用いたドライバ部２４１（通常ＰＨＹと呼ばれる）を介してＮＩＣ（ネットワークインターフェースカード）２４２（図示のように複数設けることも可）の入出力を制御するとともに、ＡＤＳＬモデム部２３０の入出力を制御する。
【００４２】
ＮＩＣ２４２はＣＳＭＡ／ＣＤ（イーサネット：商標名）などのインターフェース方式（あるいは他の）に基づくものを用いることができる。ＡＤＳＬモデム部２３０は上記のＡＤＳＬによる通信に用いられる。ＮＩＣ２４２はＬＡＮに接続された他の機器と通信するために用いられるが、後述の制御には必ずしも必須ではない。
【００４３】
ネットワーク通信において、ネットワーク制御部２４０を中心とした図２の回路ブロック間の入出力は次のように行なわれる。
【００４４】
ＩＰ電話の通信はたとえばＩＴＵ−Ｔ勧告Ｈ．３２３に記載されるＶｏＩＰにより行なう。ＶｏＩＰでは、ＩＰ（Ｉｎｔｅｒｎｅｔ    Ｐｒｏｔｏｃｏｌ）、ＵＤＰ（Ｕｓｅｒ    Ｄａｔａｇｒａｍ    Ｐｒｏｔｏｃｏｌ）、ＲＴＰ（Ｔｒａｎｓｐｏｒｔ    Ｐｒｏｔｏｃｏｌ    Ｆｏｒ    Ｒｅａｌ−Ｔｉｍｅ  Ａｐｐｌｉｃａｔｉｏｎ）、ＲＳＶＰ（Ｒｅｓｏｕｓｅ    Ｒｅｓｅｒｖａｔｉｏｎ
Ｐｒｏｔｏｃｏｌ）などの各種プロトコルが利用される。
【００４５】
ＩＰ電話の場合、ハンドセット２０８から入力される音声信号は、音声処理部２０７を介して処理され、ＣＯＤＥＣ部２４３により、音声処理のためのコーデック処理を実行し、ＩＴＵ−Ｔ勧告Ｇ．７１１やＧ．７２９等の符号フォーマットに基づく符号化／復号化を介して音声信号がデジタルデータとして送受信される。また、通話相手のＩＰアドレスを特定するためには、ＳＩＰ、ＩＴＵ−Ｔ勧告Ｈ．３２３、あるいはＭＣＧＰ等のプロトコルが利用される。
【００４６】
本実施形態では、インターネットと通信し、またＮＩＣ２４２を介してＬＡＮとも通信する、つまり異なるネットワークセグメント間でパケットをフォワードする。したがって、ネットワーク制御部２４０には、異なるネットワークセグメント間でパケットを転送するルータ機能、およびアドレス／ポート番号の変換を行なうＮＡＴ機能が設けられていることが望ましい。
【００４７】
ＮＡＴ機能は、プライベートＩＰアドレスと、Ｉｎｔｅｒｎｅｔアクセスに利用できる本来のグローバルＩＰアドレスを相互に変換し、ローカルなＩＰアドレスしか割り当てられていないノードから、透過的にＩｎｔｅｒｎｅｔをアクセスできるようにするものである。
【００４８】
また、ＬＡＮに接続される機器のため、起動時に動的にＩＰアドレスを割り当て、終了時にＩＰアドレスを回収するため、ＤＨＣＰも設けられる。
【００４９】
ＡＤＳＬモデム部２３０がＡＤＳＬ網と接続する際には、ＰＰＰｏＥなどのプロトコルが用いられる。ＡＤＳＬ網と接続する際の認証ではＰＡＰ／ＣＨＡＰなどのプロトコルが用いられるので、ネットワーク制御部２４０には、これらの認証プロトコルも実装しておく必要がある。
【００５０】
ネットワーク制御部２４０とＡＤＳＬモデム部２３０はＵＴＯＰＩＡなどのインターフェースを介して接続される。
【００５１】
ＡＤＳＬモデム部２３０は、インターネット接続に使用するための通信制御部で、ここに、スプリッタで分離した公衆回線を接続する。そして、ＡＤＳＬモデム部２３０は、ＡＦＥ部２３１とＢＢ−通信部２３２で構成される。ＡＤＳＬモデム部２３０にはＡＤＳＬモデムのプログラム格納用のＲＯＭ２３３とデータワークエリアのＲＡＭ２３４が接続されている。
【００５２】
図３はＩＰネットワークの構成を概念的に示している。図３に示すように本実施形態の通信端末２００は、公衆回線１０１によってＩＰ網１００に接続され、相手の通信端末２２０と通信する。
【００５３】
図３は、通信端末（Ａ）２００と通信端末（Ｂ）２２０が同一インターネットサービスプロバイダ（ＩＳＰ）に接続された状態を想定している。
【００５４】
ＩＰ網１００上には、ＩＰ電話での呼接続に用いられるＳＩＰサーバ１１０、電話番号／ＩＰアドレスの対応テーブルを管理するロケーションサーバ１１１、ＩＰアドレスとドメイン／ホスト名の対応テーブルを管理するためのＤＮＳサーバ１１２、ＷＥＢサーバ１１３が設けられている。
【００５５】
また、図４は図３と同等の構成であるが、ＩＰ網１００が異なるインターネットサービスプロバイダ（ＩＳＰ：１５１、１５３）を介して接続されている状態を示している。インターネット接続の形態としては、通信相手によっては図３、図４いずれの接続形態もあり得る。図４では、ＩＳＰ（Ａ）１５１を介して通信端末（Ａ）２００が接続され、ＩＳＰ（Ｂ）１５３を介して通信端末（Ｂ）２２０が接続されている。
【００５６】
図４の場合は、異なるサービスプロバイダを結ぶためのＩＳＰ−ＧＷ１５２が異なるＩＳＰ間のゲートウエイ的役目を行なうことにより、通信端末２００、２２０間の通信が可能となる。なお、ＩＳＰ−ＧＷ１５２は必ずしも単一の機器により構成されるものではなく、複数のゲートウェイ機器により構成されている場合もある。
【００５７】
本実施形態のＩＰ電話通信では、ＳＩＰ方式を用いる。ここで発呼側が通信端末２００、着呼側が通信端末２２０であるものとすると、ＳＩＰでは、まず発呼側の通信端末２００がＳＩＰサーバ１１０に発呼メッセージを送り、相手端末２２０との接続を要求する。ＳＩＰサーバ１１０は、ロケーションサーバ１１１に相手端末２２０のＩＰアドレスを問い合わせ、判明したＩＰアドレスを用いて通信端末２００と２２０の間のＩＰコネクションが形成される。
【００５８】
次に上記構成において、ＩＰ電話により通話中の通信端末間で、インターネットリソースを共有するための通信制御につき説明する。
【００５９】
図５および図６は本実施形態におけるＩＰ電話通信の様子を示している。本実施形態のＩＰ電話通信では、図１および図２のように構成された通信端末Ａ（２００）から通信端末Ｂ（２２０）へ呼接続し、通話を行なう。また、本実施形態では、端末ＡでＷＥＢブラウジングを行なうとともに、ＩＰ電話通信中に通信端末Ａから通信端末ＢにそのＵＲＬデータを転送し、通信端末（以下単に「端末」とも記す）ＡおよびＢとの間で同一のＷＥＢ情報を共有できるようにする。図示の通信手順は図１のＣＰＵ２０１が通信制御プログラムを実行することにより実現される。このＣＰＵ２０１の通信制御プログラムはＲＯＭ２０２（あるいは他の記憶媒体）に格納される。
【００６０】
なお、以下の説明において、端末間の発呼方向はＡからＢとし、また、ＷＥＢデータの転送方向もＡからＢであるものとするが、これらの発呼方向およびＷＥＢデータの転送方向は一例にすぎず、任意である。
【００６１】
まず、端末ＡがＩＰ電話の発呼操作を行なう。端末Ａのダイヤル操作（図５のＳ８０１）によりＳＩＰサーバ１１０を用いてＩＰ電話の呼接続処理が行なわれる。上述の通り、ＳＩＰサーバ１１０は相手先端末の呼び出しを行なうとともに、端末Ａに相手先端末の電話番号に対応するＩＰアドレスを返す（Ｓ８０２）。端末Ａは呼び出し中状態になり、相手先端末が応答するのを待つ（Ｓ８０３）。相手先端末が応答すると通話状態になる（Ｓ８０４）。
【００６２】
端末ＡはＷＥＢページを表示させるためにブラウザを起動する（Ｓ８０５）。端末ＡのブラウザにＵＲＬを入力すると、端末ＡはＵＲＬで指定されたＷＥＢサーバ１１３のアドレスをＤＮＳサーバ１１２に問い合わせ、検索結果を受信する（Ｓ８０６）。端末ＡはＤＮＳサーバ１１２から得たＩＰアドレスに基づきＷＥＢサーバ１１３にアクセスしてＷＥＢページのデータを受信し（Ｓ８０７）、ブラウザにＷＥＢページを表示させる（Ｓ８０８）。
【００６３】
本実施形態では、端末Ａは相手先端末に自分が表示させたＷＥＢページを送信するために、後述のようにＨＴＴＰアクセスの際に送信するＴＣＰパケットの送信元ＩＰアドレスにＳＩＰサーバ１１０から得た相手先端末のＩＰアドレスを使用することにより、データ要求は端末Ａから行なうが、ＷＥＢデータは相手の端末Ｂに送信されるよう制御する。
【００６４】
すなわち、端末Ａは相手先端末に自分が表示させたＷＥＢページを送信するために、再度ＷＥＢサーバ１１３にアクセスを行なう（Ｓ８０９）。このときＷＥＢサーバにＷＥＢデータの要求を行なう際の送信元ＩＰアドレスにはＳＩＰサーバから得た相手先端末のＩＰアドレスを使用することによりＷＥＢサーバ１１３の応答は端末Ｂに送信される。
【００６５】
ブラウザを閲覧し終えた端末Ａはブラウザを終了させ（図６のＳ８１５）、相手端末との通話が終了すると通話を切断する（Ｓ８１６）。あるいは、相手端末からの切断を検出すると通話を終了する。
【００６６】
一方、端末Ｂ側の処理は次のように行なわれる。
【００６７】
端末Ｂはスタンバイ状態において、着信があるかどうか監視をしている（図５のＳ８１０）。着信を検出すると端末Ｂは着信に応答し（Ｓ８１１）、通話状態になる（Ｓ８０４）。
【００６８】
通話中、端末ＢはＷＥＢサーバからの受信を監視する（Ｓ８１２）。上記のようにして端末ＡがＷＥＢサーバ１１３にアクセスする（Ｓ８０９）ので、端末Ａが要求したＷＥＢデータはＷＥＢサーバ１１３から端末Ｂに送信される。ＷＥＢサーバからデータを受信すると、端末Ｂは受信データを解析する。受信したデータがＷＥＢデータであった場合、ブラウザが起動されていない場合はブラウザを起動し（Ｓ８１３）、ＷＥＢページを表示する（Ｓ８１４）。
【００６９】
ブラウザを閲覧し終えると端末Ｂはブラウザを終了させる（図６のＳ８１７）。また相手先との通信状態を監視していて（Ｓ８１８）、相手先に切断されたことを検出すると通話を終了する（Ｓ８１９）。あるいは自端末から通話を切断する。
【００７０】
図７および図８は、上記のＩＰ電話通信シーケンスの概略を示している。図７および図８のシーケンスは図５〜図６の通信制御に対応するもので、上記同様、図１のＣＰＵ２０１が通信制御プログラムを実行することにより実現される。また、図９〜図１１は図７および図８のシーケンスで用いられる各ＨＴＴＰパケットの構成を示している。
【００７１】
図７〜図８の各シーケンスには符号Ｓ１０００番台とＳ１２００番台のステップ（シーケンス）番号が用いられ、図９〜図１１では２０００番台の参照符号が用いられている。以下の説明では「（Ｓ１２ｘｘ・２ｘｘｘ）」の形式で、各図のステップおよびＴＣＰパケット（ないしその内部構成）との対応を示す。
【００７２】
また、図７および図８では、簡略化のため、端末ＡおよびＢのそれぞれのＩＳＰにより提供される上述のＳＩＰサーバ、ロケーションサーバ、ＤＮＳサーバなどの各サーバをＩＳＰサーバ１００２、１００３として示している。
【００７３】
図７および図８のシーケンスを説明する前に、図９によりＴＣＰパケットの構成を説明する。図１０および図１１のパケットは図９の構造を有する。図９はＴＣＰ／ＩＰで用いられるパケットの一般的な構成を示しており、図示のように、ＴＣＰ／ＩＰパケットはＩＰヘッダ部２００１とＩＰデータ部２００２から成る。ＩＰヘッダ部２００１には送信元のＩＰアドレス２００８、送信先のＩＰアドレス２００９などが記述される。
【００７４】
ＩＰデータ部２００２は、さらにＴＣＰヘッダ部２００３とＴＣＰデータ部２００４から成り、ＴＣＰヘッダ部２００３には送信元ポート番号２００５、送信先ポート番号２００６、ＴＣＰパケットのタイプなどを示すコントロールフラグ２００７などが記述される。
【００７５】
以下、図７および図８のシーケンスを説明する。
【００７６】
まず端末Ａにおいて操作部２１５からダイヤル操作を行なう。これにより端末Ａ（２００）は端末ＡのＩＳＰサーバ１００２に接続される（図７のＳ１００５）。端末ＡのＩＳＰサーバ１００２（実際には上述のようにＳＩＰ、ＤＮＳサーバなどが動作する）は通話相手である端末Ｂ（２００）のＩＰアドレスを検索し（Ｓ１００６）、検索結果のＩＰアドレスに対して発呼パケットを送信する（Ｓ１００７）。
【００７７】
この発呼パケットを受信すると、端末ＢのＩＳＰサーバ１００３（実際には上述のようにＳＩＰ、ＤＮＳサーバなどが動作する）は端末Ｂ（２２０）を呼び出す（Ｓ１００８）。端末Ｂが応答すると（Ｓ１００９）、端末ＢのＩＳＰサーバ１００３は端末ＡのＩＳＰサーバ１００２に接続パケットを返す（Ｓ１０１０）。端末ＡのＩＳＰサーバ１００２が端末Ａ１００１に応答を返すと呼接続が完了し、このとき端末Ａに端末ＢのＩＰアドレスが通知される（Ｓ１０１１）。その後、端末Ａおよび端末Ｂは通話状態になり、音声パケットのやり取りが行われる（Ｓ１０１２）。このＩＰ電話通信は、リアルタイム性を重視して通常、メッセージを含めてＵＤＰベースで行なわれる。ただし、ＴＣＰベースのＨ３２３等の呼接続方法も利用することができ、ＩＰ電話通信の方式は任意である。
【００７８】
次に、図８を参照して端末ＡがＷＥＢサーバ１１３から得たＷＥＢデータを端末Ｂと共有する際のシーケンスを説明する。図８では、端末Ａを端末Ａ−１、および端末Ａ−２として示しているが、この２つの表示はデータ送受信用の２つのポートに対応するものである。ＴＣＰ／ＩＰでは、ポート番号は相手と同期を取ってから役割を終えるまでの一連の流れが終ると、次には違うポート番号が使用される。ＨＴＴＰクライアントとして動作する端末Ｂも複数のポートを用いることができるが、本実施形態のＨＴＴＰ通信では１つのみ用いる。
【００７９】
端末Ａは自端末にＷＥＢページを表示させるために、データ用のポート１２０１とＷＥＢサーバと同期を取る。端末ＡからＷＥＢサーバにＳＹＮパケットを送信し（Ｓ１２０５・２２０５）、ＷＥＢサーバからＳＹＮ・ＡＣＫパケットを受信する（Ｓ１２０６・２２０６）。端末Ａはこれに対してＡＣＫパケットを返す（Ｓ１２０７・２２０７）。これにより端末Ａのポート１２０１とＷＥＢサーバはＨＴＴＰ通信を行なうことができる。
【００８０】
端末ＡはＷＥＢサーバにＷＥＢページの要求を行い（Ｓ１２０８・２２０８）、ＷＥＢデータを受信する（Ｓ１２０９・２２０９）。端末Ａはこれに対してＡＣＫパケットを返し（Ｓ１２１０・２２１０）、受信したＷＥＢページを表示する（Ｓ１２１１）。
【００８１】
端末Ａは端末ＢにもＷＥＢページを表示させるために、再度ＷＥＢアクセスを行なう。これ以降の動作は、端末Ａで操作部２１５のリソース転送ボタン２１５ａを操作することにより開始される。リソース転送ボタン２１５ａは、通話相手に同じＷＥＢページを表示させたい時にその都度押下する構成の他、リソース転送ボタン２１５ａの押下により、それ以後、後述のインターネットリソース共有動作を常に行なうインターネットリソース共有モードに入るようにしてもよい。また、ＩＰ電話の通話開始後は、自動的にこのようなインターネットリソース共有モードに入るようにしてもよい。
【００８２】
以下のインターネットリソース共有（本実施形態では同一ＷＥＢページのブラウジング）は、端末Ａで新しいＷＥＢページを読み込むごとに自動的に実行することができる。
【００８３】
まず、端末Ａはデータ用のポート１２０２とＷＥＢサーバとの同期を取る。このとき使用するポート番号は、端末Ｂで使用可能なものを使用する。端末ＡからＷＥＢサーバにＳＹＮパケットを送信し（Ｓ１２１２、２２１２）、ＷＥＢサーバからＳＹＮ・ＡＣＫパケットを受信する（Ｓ１２１３・２２１３）。端末Ａはこれに対してＡＣＫパケットを返す（Ｓ１２１４・２２１４）。これにより端末Ａのポート１２０２とＷＥＢサーバはＨＴＴＰ通信を行なうことができる。
【００８４】
さらに端末ＡはＷＥＢサーバにＷＥＢページの要求を行なう。このときＩＰヘッダの送信元アドレスに端末ＢのＩＰアドレスを入れる（Ｓ１２１５・２２１５）。ＷＥＢサーバはこの要求に対してＷＥＢページのデータを要求元のＩＰアドレスに送信することになる（Ｓ１２１６・２２１６）。ＷＥＢデータを受信した端末ＢはＷＥＢサーバにＡＣＫパケットを返し（Ｓ１２１７・２２１７）、端末ＢはＷＥＢページを表示させる（Ｓ１２１８）。
【００８５】
なお、本実施形態では、パケットの送信元アドレスの書き変えによって送信されてくるＷＥＢページを受信する端末Ｂのブラウザ（あるいはさらにそのブラウザが動作しているオペレーティングシステムのＴＣＰ／ＩＰスタック）は、自己が要求していないＷＥＢデータを受信し、さらに表示（あるいは他の形式での出力）できる必要がある。このために、ＩＰ電話通信中は、端末Ｂ（あるいはＡ：ＷＥＢデータの受信側）のオペレーティングシステムは、自機宛に送信されたＷＥＢデータが自機のブラウザ（必要であればその起動も行なう）に送り込まれるように制御する必要がある。
【００８６】
以上のようにして、ＩＰ電話で通話中の端末どうしでインターネットリソースを共有することができる。従来のＩＰ電話通信中の音声によるインターネットリソースの伝達と異なり、相互に正しくインターネットリソースそのものの情報が伝達され、確実に同じインターネットリソースを利用でき、また、ＵＲＬなどのデータ再入力などの操作を省略できるため、操作性を向上できる。
【００８７】
これによって、ＩＰ電話通信中に通信している端末どうしで同じインターネットリソースを利用（上記実施形態の場合表示であるが、下記のファームウエアの更新の場合のように共有するインターネットリソースの利用方法は表示に限定されるものではない）させることができ、従来のＩＰ電話通信中の音声によるインターネットリソースの伝達と異なり、相互に正しくインターネットリソースの情報が伝わり、確実に同じインターネットリソースを利用でき、また、ＵＲＬなどのデータ再入力などの操作を省略できるため、操作性を向上できる。
【００８８】
また、上記実施形態では、相手端末と共有するＷＥＢページのアクセスの時、送信元ＩＰアドレスを書き変え、ＷＥＢサーバから直接、目的のＷＥＢページが相手端末に送信されるように制御しているため、目的のＷＥＢページデータそのもの、あるいはそのＵＲＬデータなどを相手端末に送信するような通信制御に比してシーケンスのステップ数が極めて少なくて済み、高速かつ効率的な通信を行なうことができる。特に、ＷＥＢデータの受信側では、特別な操作を必要とせず、自動的にそのＵＲＬで示されるインターネットリソースをブラウズすることができる。
【００８９】
以上では、ＩＰ電話通信中の第１および第２の端末で共有するインターネットリソースとしてＷＥＢページを考えたが、ＵＲＬ（あるいはＵＲＩ）ないしこれと同等のインターネットリソースの所在を示す情報形式（ＦＴＰで送信できさえすればよい）で表現できるインターネットリソースであればどのようなものでも第１および第２の端末で共有することができる。本発明により共有できるインターネットリソースは、ブラウザベースで利用できる（あるいはＵＲＬ形式で表現可能な）ものであればＦＴＰディレクトリやそのディレクトリ中のファイル、Ｇｏｐｈｅｒページ、音声やビデオ（静止画／動画）ストリームを提供する各種のサービスなど、数限りない。
【００９０】
本発明のインターネットリソース共有技術は、ビジネスや娯楽のための情報共有に広く用いることができる。特に本発明の通信機器の製品展開などに有用と考えられるのは、本発明の通信端末のファームウエアのアップデートなどに利用することである。たとえば、本発明の通信端末のユーザがトラブルに遭遇し、ＩＰ電話でメーカーのサポート窓口に電話し、相談した結果、通信端末のファームウエアの更新が必要、という結論に達した場合、メーカーのサポート要員が直接そのユーザの通信端末にファームウエア（たとえばＨＴＴＰやＦＴＰで取得可能なファイルで、通常メーカーが運営するＨＴＴＰサーバ／ＦＴＰサーバから提供される）のＵＲＬを送信し、ファームウエアのアップデートを行なうことができる。多くのブラウザに実装されているソフトウェアインストール機能などを利用すれば、ファームウエアのアップデートのような受信側のファイルの取り扱いは任意に指定できるので、ユーザ操作を一切必要とせず通信端末のファームウエアのアップデートを行なうことができる。
【００９１】
本発明を実現するソフトウェアは、ＩＰ網に接続し、所定のＩＰ電話方式により通話を行なう任意の形式の通信端末に適用でき、その通信端末のＣＰＵのプログラムとしてＲＯＭやその他の記憶媒体などに格納してあらかじめ格納しておく他、外部記憶媒体（ＣＤ−ＲＯＭやフレキシブルディスク、ＭＯなど）を介して供給する、あるいは、ネットワーク経由で供給することができる。特に、ネットワーク経由で供給する場合には、上記のようにインターネットリソースとしてＦＴＰサーバやＨＴＴＰサーバに通信端末のファームウエア（あるいは付加的なソフトウェア）として配置し、本発明の通信方法を介して通信端末にダウンロードし、さらに多くのＷＥＢブラウザに実装されているソフトウェアインストール機能などを利用してその通信端末に自動的にインストールすることができる。
【００９２】
以上では、送信元ＩＰアドレスを書き変え、ＷＥＢサーバから直接、目的のＷＥＢページが相手端末に送信されるように制御することにより、通話中の端末どうしで同一のインターネットリソースを共有利用する構成を示したが、インターネットリソースを共有利用するための構成はこのようなものに限らず、ＦＴＰやＨＴＴＰプロトコルで目的のインターネットリソースのＵＲＬ情報を相手端末に転送したり、あるいはダウンロードしたインターネットリソースデータそのものを転送することによっても、このような共有利用が可能であるのはいうまでもない。これらの情報を通話相手の端末に転送するには、ＩＰ電話手順により相手のＩＰアドレスが判明しているため、上述のリソース転送ボタンの操作や、インターネットリソース共有モードの設定により相手のＩＰアドレスとの間にＦＴＰやＨＴＴＰコネクションを成立させることができるから、このようなコネクションを介してインターネットリソースのＵＲＬ情報やそのデータそのものを容易に転送することができる。
【００９３】
また、インターネットリソースの共有動作は、リソース転送ボタンの操作により極めて容易に実行でき、あるいはインターネットリソース共有モードを設定可能とする（リソース転送ボタンの明示的な操作により当該モードに入る、あるいはＩＰ電話の通話開始後、自動的に当該モードに入る）ことにより面倒な操作をさらに省略でき、ユーザを選ぶことなく容易にインターネットリソース共有動作を行なうができる。
【００９４】
インターネットリソース共有動作に必要な相手のＩＰアドレスは、特別なハードウェアやソフトウェアを必要とせずＩＰ電話手順により取得することができる。
【００９５】
本発明の実施態様には次のようなものが含まれる。
【００９６】
＜実施態様１＞  ＩＰ網に接続し、所定のＩＰ電話方式により通話を行なう通信端末において、
目的のインターネットリソースを提供するサーバにアクセスし、その際送信するパケットの送信元アドレスを通話相手の通信端末のＩＰアドレスに変更することにより当該サーバの応答パケットが通話相手の通信端末に送信されるように制御することにより、通話相手の通信端末と同一のインターネットリソースを共有利用するインターネットリソース共有手段を有することを特徴とする通信端末。
【００９７】
＜実施態様２＞  前記インターネットリソースがＷＥＢデータであり、前記サーバがＷＥＢデータを提供するＨＴＴＰサーバであることを特徴とする実施態様１に記載の通信端末。
【００９８】
＜実施態様３＞  前記通話相手の通信端末のＩＰアドレスがＩＰ電話の呼接続手順により取得されることを特徴とする実施態様１に記載の通信端末。
【００９９】
＜実施態様４＞  前記インターネットリソースの共有利用を指定する操作手段が設けられることを特徴とする実施態様１に記載の通信端末。
【０１００】
＜実施態様５＞  前記操作手段の操作の都度、前記インターネットリソース共有動作が行なわれることを特徴とする実施態様１に記載の通信端末。
【０１０１】
＜実施態様６＞  ＩＰ電話の通話中、自機で利用中のインターネットリソースが変更される度にそのインターネットリソースの通話相手の通信端末との共有動作を行なうインターネットリソース共有モードが設定されることを特徴とする実施態様１に記載の通信端末。
【０１０２】
＜実施態様７＞  ＩＰ網に接続し、所定のＩＰ電話方式により通話を行なう通信端末の制御方法において、
目的のインターネットリソースを提供するサーバにアクセスし、その際送信するパケットの送信元アドレスを通話相手の通信端末のＩＰアドレスに変更することにより当該サーバの応答パケットが通話相手の通信端末に送信されるように制御することにより、通話相手の通信端末と同一のインターネットリソースを共有利用することを特徴とする通信端末の制御方法。
【０１０３】
＜実施態様８＞  前記インターネットリソースがＷＥＢデータであり、前記サーバがＷＥＢデータを提供するＨＴＴＰサーバであることを特徴とする実施態様７に記載の通信端末の制御方法。
【０１０４】
＜実施態様９＞  前記通話相手の通信端末のＩＰアドレスがＩＰ電話の呼接続手順により取得されることを特徴とする実施態様７に記載の通信端末の制御方法。
【０１０５】
＜実施態様１０＞  所定の操作手段のユーザ操作により前記インターネットリソースの共有利用が指定されることを特徴とする実施態様７に記載の通信端末の制御方法。
【０１０６】
＜実施態様１１＞  前記操作手段の操作の都度、前記インターネットリソース共有動作が行なわれることを特徴とする実施態様７に記載の通信端末の制御方法。
【０１０７】
＜実施態様１２＞  ＩＰ電話の通話中、自機で利用中のインターネットリソースが変更される度にそのインターネットリソースの通話相手の通信端末との共有動作を行なうインターネットリソース共有モードが設定されることを特徴とする実施態様７に記載の通信端末の制御方法。
【０１０８】
＜実施態様１３＞  ＩＰ網に接続し、所定のＩＰ電話方式により通話を行なう通信端末の制御プログラムにおいて、
目的のインターネットリソースを提供するサーバにアクセスし、その際送信するパケットの送信元アドレスを通話相手の通信端末のＩＰアドレスに変更することにより当該サーバの応答パケットが通話相手の通信端末に送信されるように制御することにより、通話相手の通信端末と同一のインターネットリソースを共有利用するための制御過程を含むことを特徴とする通信端末の制御プログラム。
【０１０９】
＜実施態様１４＞  前記インターネットリソースがＷＥＢデータであり、前記サーバがＷＥＢデータを提供するＨＴＴＰサーバであることを特徴とする実施態様１３に記載の通信端末の制御プログラム。
【０１１０】
＜実施態様１５＞  前記通話相手の通信端末のＩＰアドレスをＩＰ電話の呼接続手順により取得するための制御過程を含むことを特徴とする実施態様１３に記載の通信端末の制御プログラム。
【０１１１】
＜実施態様１６＞  所定の操作手段のユーザ操作に応じて前記インターネットリソースの共有利用動作を行なうための制御過程を含むことを特徴とする実施態様１３に記載の通信端末の制御プログラム。
【０１１２】
＜実施態様１７＞  前記操作手段の操作の都度、前記インターネットリソース共有動作を行なうための制御過程を含むことを特徴とする実施態様１３に記載の通信端末の制御プログラム。
【０１１３】
＜実施態様１８＞  ＩＰ電話の通話中、自機で利用中のインターネットリソースが変更される度にそのインターネットリソースの通話相手の通信端末との共有動作を行なうインターネットリソース共有モードを設定するための制御過程を含むことを特徴とする実施態様１３に記載の通信端末の制御プログラム。
【０１１４】
【発明の効果】
以上の説明から明らかなように、本発明によれば、ＩＰ網に接続し、所定のＩＰ電話方式により通話を行なう通信端末において、目的のインターネットリソースを提供するサーバにアクセスし、その際送信するパケットの送信元アドレスを通話相手の通信端末のＩＰアドレスに変更することにより当該サーバの応答パケットが通話相手の通信端末に送信されるように制御することにより、通話相手の通信端末と同一のインターネットリソースを共有利用する構成を採用しているので、従来の音声によるインターネットリソースの伝達と異なり、相互に正しくインターネットリソースを伝達でき、確実に同じインターネットリソースを利用でき、また、ＵＲＬなどのデータ再入力などの操作を省略できるという優れた効果がある。すなわち、本発明によれば、他の機器を用いることなく通信端末のみによりＩＰ電話で通話中の相手とインターネットリソースを簡単安価に、また面倒な操作を必要とせず確実に共有できる、という優れた効果が得られる。
【図面の簡単な説明】
【図１】本発明を採用した通信端末の構成を示した説明図である。
【図２】図１の装置の制御系の構成を示したブロック図である。
【図３】図１の装置が通信するＩＰ網により構成された通信環境を示した説明図である。
【図４】図１の装置が通信する通信環境の異なる構成を示した説明図である。
【図５】図１の装置によるＩＰ電話通信の通信制御手順を示したフローチャート図である。
【図６】図１の装置によるＩＰ電話通信の通信制御手順を示したフローチャート図である。
【図７】図１の装置によるＩＰ電話通信の様子を示した説明図である。
【図８】図１の装置によるＩＰ電話通信の様子を示した説明図である。
【図９】本発明で用いられるＴＣＰパケットの構成を示した説明図である。
【図１０】本発明で用いられるＴＣＰパケットの構成を示した説明図である。
【図１１】本発明で用いられるＴＣＰパケットの構成を示した説明図である。
【符号の説明】
１００  ＩＰ網
１０１  有線回線
１０２  スプリッタ
１０４  公衆回線
１１０  ＳＩＰサーバ
１１１  ロケーションサーバ
１１２  ＤＮＳサーバ
１１３  ＷＥＢサーバ
２００  通信端末
２０１  ＣＰＵ
２０２  ＲＯＭ
２０３  ＲＡＭ
２０４  通信制御部
２０５  ＭＯＤＥＭ部
２０６  音源部
２０７  音声処理部
２０８  ハンドセット
２０９  スピーカ
２１０  本体マイク
２１１  記録部
２１２  読取部
２１４  表示部
２１５  操作部
２１６  フック検出部
２１９  データバス
２３０  ＡＤＳＬモデム部
２３１  ＡＦＥ部
２３２  ＢＢ−通信部
２３３  ＲＯＭ
２３４  ＲＡＭ
２４０  ネットワーク制御部
２４１  ドライバ部
【図１】
2004266326.tif 000003
【図２】
2004266326.tif 000004
【図３】
2004266326.tif 000005
【図４】
2004266326.tif 000006
【図５】
2004266326.tif 000007
【図６】
2004266326.tif 000008
【図７】
2004266326.tif 000009
【図８】
2004266326.tif 000010
【図９】
2004266326.tif 000011
【図１０】
2004266326.tif 000012
【図１１】
2004266326.tif 000013
【手続補正書】
【提出日】平成16年1月21日(2004.1.21)
【手続補正２】
【補正対象書類名】明細書
【補正対象項目名】特許請求の範囲
【補正方法】変更
【補正の内容】
【特許請求の範囲】
【請求項１】
ＩＰ網に接続し、所定のＩＰ電話方式により通話を行なう通信端末において、
目的のインターネットリソースを提供するサーバにアクセスし、その際送信するパケットの送信元アドレスを通話相手の通信端末のＩＰアドレスに変更し当該サーバの応答パケットが通話相手の通信端末に送信されるように制御することにより、通話相手の通信端末と同一のインターネットリソースを共有利用するインターネットリソース共有手段を有することを特徴とする通信端末。
【請求項２】
前記インターネットリソースがＷＥＢデータであり、前記サーバがＷＥＢデータを提供するＨＴＴＰサーバであることを特徴とする請求項１に記載の通信端末。
【請求項３】
前記通話相手の通信端末のＩＰアドレスがＩＰ電話の呼接続手順により取得されることを特徴とする請求項１に記載の通信端末。
【請求項４】
前記インターネットリソースの共有利用を指定する操作手段が設けられることを特徴とする請求項１に記載の通信端末。
【請求項５】
前記操作手段の操作の都度、前記インターネットリソース共有動作が行なわれることを特徴とする請求項１に記載の通信端末。
【請求項６】
ＩＰ電話の通話中、自機で利用中のインターネットリソースが変更される度にそのインターネットリソースの通話相手の通信端末との共有動作を行なうインターネットリソース共有モードが設定されることを特徴とする請求項１に記載の通信端末。
【請求項７】
ＩＰ網に接続し、所定のＩＰ電話方式により通話を行なう通信端末の制御方法において、
目的のインターネットリソースを提供するサーバにアクセスし、その際送信するパケットの送信元アドレスを通話相手の通信端末のＩＰアドレスに変更し当該サーバの応答パケットが通話相手の通信端末に送信されるように制御することにより、通話相手の通信端末と同一のインターネットリソースを共有利用することを特徴とする通信端末の制御方法。
【請求項８】
前記インターネットリソースがＷＥＢデータであり、前記サーバがＷＥＢデータを提供するＨＴＴＰサーバであることを特徴とする請求項７に記載の通信端末の制御方法。
【請求項９】
前記通話相手の通信端末のＩＰアドレスがＩＰ電話の呼接続手順により取得されることを特徴とする請求項７に記載の通信端末の制御方法。
【請求項１０】
所定の操作手段のユーザ操作により前記インターネットリソースの共有利用が指定されることを特徴とする請求項７に記載の通信端末の制御方法。
【請求項１１】
前記操作手段の操作の都度、前記インターネットリソース共有動作が行なわれることを特徴とする請求項７に記載の通信端末の制御方法。
【請求項１２】
ＩＰ電話の通話中、自機で利用中のインターネットリソースが変更される度にそのインターネットリソースの通話相手の通信端末との共有動作を行なうインターネットリソース共有モードが設定されることを特徴とする請求項７に記載の通信端末の制御方法。
【請求項１３】
ＩＰ網に接続し、所定のＩＰ電話方式により通話を行なう通信端末の制御プログラムにおいて、
目的のインターネットリソースを提供するサーバにアクセスし、その際送信するパケットの送信元アドレスを通話相手の通信端末のＩＰアドレスに変更し当該サーバの応答パケットが通話相手の通信端末に送信されるように制御することにより、通話相手の通信端末と同一のインターネットリソースを共有利用するための制御過程を含むことを特徴とする通信端末の制御プログラム。
【請求項１４】
前記インターネットリソースがＷＥＢデータであり、前記サーバがＷＥＢデータを提供するＨＴＴＰサーバであることを特徴とする請求項１３に記載の通信端末の制御プログラム。
【請求項１５】
前記通話相手の通信端末のＩＰアドレスをＩＰ電話の呼接続手順により取得するための制御過程を含むことを特徴とする請求項１３に記載の通信端末の制御プログラム。
【請求項１６】
所定の操作手段のユーザ操作に応じて前記インターネットリソースの共有利用動作を行なうための制御過程を含むことを特徴とする請求項１３に記載の通信端末の制御プログラム。
【請求項１７】
前記操作手段の操作の都度、前記インターネットリソース共有動作を行なうための制御過程を含むことを特徴とする請求項１３に記載の通信端末の制御プログラム。
【請求項１８】
ＩＰ電話の通話中、自機で利用中のインターネットリソースが変更される度にそのインターネットリソースの通話相手の通信端末との共有動作を行なうインターネットリソース共有モードを設定するための制御過程を含むことを特徴とする請求項１３に記載の通信端末の制御プログラム。